(57)【要約】【課題】  構造的に堅牢で、その取扱いも容易な大型の情報表示装置の組立体を提供する。【解決手段】  大型の情報表示装置の組立体において、縦長の筐体１と、この筐体１を床面に平行に、かつ安定に支持するスタビライザ１１と、前記筐体１の側面の一方側に３組以上配置される組立式旗蝶番と、この組立式旗蝶番に固定され、この組立式旗蝶番を中心として水平方向に回転可能な情報表示画面取付金具と、この情報表示画面取付金具に固定される情報表示画面１５Ａ〜１５Ｄを具備する。【選択図】  図１
2009244577.tif 000002
【特許請求の範囲】
【請求項１】
３段以上に積み重ねられ、総合的に縦長で大面積の情報表示画面を構築することを特徴とする大型の情報表示装置の組立体。
【請求項２】
（ａ）縦長の筐体と、
（ｂ）該筐体を床面に平行に、かつ安定に支持する支持装置と、
（ｃ）前記筐体の側面の一方側に３組以上配置される組立式旗蝶番と、
（ｄ）該組立式旗蝶番に固定され、該組立式旗蝶番を中心として水平方向に回転可能な情報表示画面取付金具と、該情報表示画面取付金具に固定される情報表示画面とを具備することを特徴とする請求項１記載の大型の情報表示装置の組立体。
【請求項３】
（ａ）３段以上に積み重ねられた情報表示画面と、
（ｂ）該情報表示画面のそれぞれを支持する支柱と、
（ｃ）前記情報表示画面の下段の情報表示画面の下端を支持する支持体と、
（ｄ）該支持体を前記支柱に固定する取付金具とを具備することを特徴とする請求項１記載の大型の情報表示装置の組立体。
【請求項４】
請求項２又は３記載の大型の情報表示装置の組立体において、前記大面積の情報表示画面が３枚の情報表示画面からなることを特徴とする大型の情報表示装置の組立体。
【請求項５】
請求項２又は３記載の大型の情報表示装置の組立体において、前記大面積の情報表示画面が４枚の情報表示画面からなることを特徴とする大型の情報表示装置の組立体。
【発明の詳細な説明】
【技術分野】
【０００１】
本発明は、区分された情報表示画面を組み立てて構築される大型の情報表示装置の組立体に関するものである。
【背景技術】
【０００２】
従来、単一の画面を有する大型の情報表示装置においては、一面での解像度は最大でも４，０００ピクセル×２，５００ピクセル程度であり、その大きさは、高解像度なものでは３０インチ程度、２０００ピクセル×１，２００ピクセル程度の低解像度のものでも１００インチ程度以上のものは一般的には存在しない。
【０００３】
そこで、４００インチ級の情報表示画面を実現し、併せて数万ピクセル×数万ピクセル程度の解像度を実現する情報表示装置は、上記した単一画面の液晶表示装置、或いはプラズマ表示装置を何枚か並べて実現せざるを得ない。
【特許文献１】なし
【発明の開示】
【発明が解決しようとする課題】
【０００４】
しかしながら、高解像度で大型の情報表示装置を上記したような従来の情報表示装置を何枚か並べて実現する場合には、構造的にも堅牢でなければならず、その取扱いも容易なものが求められている。
【０００５】
本発明は、上記状況に鑑みて、構造的に堅牢で、その取扱いも容易な大型の情報表示装置の組立体を提供することを目的とする。
【課題を解決するための手段】
【０００６】
本発明は、上記目的を達成するために、
〔１〕大型の情報表示装置の組立体において、３段以上に積み重ねられ、総合的に縦長で大面積の情報表示画面を構築することを特徴とする。
【０００７】
〔２〕上記〔１〕記載の大型の情報表示装置の組立体において、縦長の筐体と、この筐体を床面に平行に、かつ安定に支持する支持装置と、前記筐体の側面の一方側に３組以上配置される組立式旗蝶番と、この組立式旗蝶番に固定され、この組立式旗蝶番を中心として水平方向に回転可能な情報表示画面取付金具と、この情報表示画面取付金具に固定される情報表示画面とを具備することを特徴とする。
【０００８】
〔３〕上記〔１〕記載の大型の情報表示装置の組立体において、３段以上に積み重ねられた情報表示画面と、この情報表示画面のそれぞれを支持する支柱と、前記情報表示画面の下段の情報表示画面の下端を支持する支持体と、この支持体を前記支柱に固定する取付金具とを具備することを特徴とする。
【０００９】
〔４〕上記〔２〕又は〔３〕記載の大型の情報表示装置の組立体において、前記大面積の情報表示画面が３枚の情報表示画面からなることを特徴とする。
【００１０】
〔５〕上記〔２〕又は〔３〕記載の大型の情報表示装置の組立体において、前記大面積の情報表示画面が４枚の情報表示画面からなることを特徴とする。
【発明の効果】
【００１１】
本発明によれば、簡単な構成で、しかもその取扱いも容易な大型の情報表示装置の組立体を構築することができる。
【発明を実施するための最良の形態】
【００１２】
本発明の大型の情報表示装置の組立体は、縦長の筐体と、この筐体を床面に平行に、かつ安定に支持する支持装置と、前記筐体の側面の一方側に３組以上配置される組立式旗蝶番と、この組立式旗蝶番に固定され、この組立式旗蝶番を中心として水平方向に回転可能な情報表示画面取付金具と、この情報表示画面取付金具に固定される情報表示画面とを具備する。
【実施例】
【００１３】
以下、本発明の実施の形態について詳細に説明する。
【００１４】
図１は本発明の第１実施例を示す大型の情報表示装置の組立体の正面図、図２はその大型の情報表示装置の組立体の情報表示画面を外したキャビネットラックを示す正面図、図３はその大型の情報表示装置の組立体の右側面図、図４は図２のキャビネットラックの裏面図、図５はその大型の情報表示装置の組立体の情報表示画面取付金具を外した図２のキャビネットラックの正面図、図６は図３のＡ−Ａ線断面図、図７は図３のＢ部拡大図、図８は図６のＣ部拡大図、図９はその大型の情報表示装置の組立体の第１の情報表示画面取付金具の正面図、図１０は図９の右側面図、図１１は図９の上面図、図１２はその大型の情報表示装置の組立体の第２の情報表示画面取付金具の正面図、図１３はこの大型の情報表示装置の組立体と情報表示画面を外した状態のキャビネットラックを示す図面代用写真、図１４は情報表示装置の組立体の情報表示画面を筐体から開いた状態を示す図面代用写真である。なお、図９に示す第１の取付金具と図１２に示す第１の取付金具とは中央に形成される長丸穴１３Ｂと１３Ｃのサイズが異なるだけで、その他の点は同じである。
【００１５】
これらの図において、１は前方が開いた縦長の筐体（例えば、高さ１９３５ｍｍ，幅５４０ｍｍ）、２は筐体１の正面から見て左側に配置される旗蝶番取付金具、３は旗蝶番取付金具２に取り付けられる４組の組立式旗蝶番（２個を一対とする４対の組立式旗蝶番が筐体１に配置される）、４は筐体１の正面から見て右側に配置されるボールキャッチ取付金具、５はボールキャッチ、６は筐体１の側板、７は筐体１の裏板、８は筐体１の天板、９は筐体１の底板、１０は筐体１の底板９に取り付けられ筐体１の移動を容易にするキャスター、１１は筐体１を安定に支持するスタビライザ、１２は筐体１を床面に対して水平になるように支持するフロアレベラである。なお、筐体１の裏板７には筐体１内部の通気のために菱形の通気穴７Ａが設けられている。
【００１６】
さらに、１３，１３Ａ〜１３Ｄは組立式旗蝶番３に取り付けられる情報表示画面取付金具であり、情報表示画面への配線を容易にする開口１７Ａ及び長丸穴１７Ｂを設けた第１の情報表示画面取付金具１３Ａ，１３Ｂ（図９参照）と、開口１７Ａ及び長丸穴１７を設けた第２の情報表示画面取付金具１３Ｂ，１３Ｃ（図２参照）である。１４Ａ〜１４Ｄは情報表示画面が閉じられた際に情報表示画面を支える支え金具、１５，１５Ａ〜１５Ｄは情報表示画面（例えば、高さ４６０ｍｍ，幅６８８ｍｍ）、１６，１６Ａ〜１６Ｄは情報表示画面１５Ａ〜１５Ｄの裏面の中央部に設けられる情報表示画面の取付部材である。
【００１７】
このように、縦長の筐体１の旗蝶番取付金具２には、４対の組立式旗蝶番３のそれぞれの対に取り付けられる４枚の情報表示画面取付金具１３Ａ〜１３Ｄが配置され、この４枚の情報表示画面取付金具１３Ａ〜１３Ｄにそれぞれ情報表示画面１５Ａ〜１５Ｄが取り付けられる。したがって、セットされた４枚の情報表示画面１５Ａ〜１５Ｄは、図１又は図１３に示されるように、総合的には、縦長の大型の情報表示画面１５（高さ１８４６ｍｍ，幅６８８ｍｍ、）を構築することができる。
【００１８】
また、情報表示画面１５Ａ〜１５Ｄの取替えや配線変更を行う際には、図１４に示すように、情報表示画面１５Ａ〜１５Ｄを組立式旗蝶番３を中心に水平方向に回転させて開くことにより、容易に行うことができる。
【００１９】
さらに、情報表示画面１５Ａ〜１５Ｄは４段に積み重ねられるので、スタビライザ１１によって、筐体１を安定に支持するようにする。また、４段に積み重ねられた大型の情報表示画面１５が水平に支持されるように、フロアレベラ１２によって調整可能になっている。
【００２０】
上記したように、情報表示画面１５Ａ〜１５Ｄは平面的に並べて１つの大型の情報表示画面を構成することができる。その場合には、図示しないが、４個のプロセッサを並列に動作させることにより、ソフトウェアによって、あたかも一つのプロセッサによる描画を大型画面上へ展開させることができる。
【００２１】
なお、上記実施例では情報表示画面を４段に積み重ねた例について述べたが、３段に積むようにしてもよい。
【００２２】
図１５は本発明の第２実施例を示す大型の情報表示装置の組立体の正面図、図１６はその大型の情報表示装置の組立体の側面図、図１７はその大型の情報表示装置の組立体の脚部の平面図、図１８はその大型の情報表示装置の組立体の表示画面裏面の取付部の構造図であり、図１８（ａ）は情報表示画面の側面図、図１８（ｂ）は情報表示画面の裏面図である。
【００２３】
これらの図において、２１Ａ〜２１Ｃ（上段〜下段）は縦に積み重ねられる情報表示画面、２２Ａ〜２２Ｃは情報表示画面２１Ａ〜２１Ｃの裏面の取付部材、２３は支柱、２４Ａ〜２４Ｃは情報表示画面２１Ａ〜２１Ｃの裏面の取付部材２２Ａ〜２２Ｃに取り付けられる取付金具、２５Ａ〜２５Ｃは情報表示画面２１Ａ〜２１Ｃを取付金具２４Ａ〜２４Ｃを介して支柱２３に固定するためＵボルト、２６は情報表示画面２１Ａ〜２１Ｃの幅を有し、支柱２３の脚部を支える支持部材、２７は支持部材２６の下部に配置されるスタビライザ、２８は下段の情報表示画面２１Ｃの下端を支持する木製のデスク、２９は支柱２３の下方に配置される取付金具、３０は取付金具２９を支柱２３に固定するＵボルト、３１は取付金具２９に固定され、木製のデスク２８に装着される支持金具、３２は支持金具３１を木製のデスク２８に固定するアジャスタボルト、３３は抑えナットである。
【００２４】
このように、３段に積み重ねられた情報表示画面２１Ａ〜２１Ｃは、それぞれ支柱２３に固定されるとともに、下段の情報表示画面２１Ｃは木製のデスク２８に固定されている。つまり、木製のデスク２８は情報表示画面２１Ａ〜２１Ｃの荷重を受けるとともに、支柱２３に取付金具２９を介して支持されるように構成されている。
【００２５】
したがって、この実施例によれば、３段に積み重ねられた情報表示画面２１Ａ〜２１Ｃを有する大型の情報表示装置の組立体を、簡単な構成でありながら、堅牢であり、安定に構築することができる。
【００２６】
なお、ここでは３段に積み重ねられた情報表示画面について述べたが、これ以上の４段に積み重ねるようにしてもよい。
【００２７】
なお、本発明は上記実施例に限定されるものではなく、本発明の趣旨に基づき種々の変形が可能であり、これらを本発明の範囲から排除するものではない。
【産業上の利用可能性】
【００２８】
本発明の大型の情報表示装置の組立体は、簡単な構造で、堅牢な大画面を構築することができる大型の情報表示装置の組立体として利用可能である。
【図面の簡単な説明】
【００２９】
【図１】本発明の第１実施例を示す大型の情報表示装置の組立体の正面図である。
【図２】本発明の第１実施例を示す大型の情報表示装置の組立体の情報表示画面を外したキャビネットラックを示す正面図である。
【図３】本発明の第１実施例を示す大型の情報表示装置の組立体の右側面図である。
【図４】図２のキャビネットラックの裏面図である。
【図５】本発明の第１実施例を示す大型の情報表示装置の組立体の情報表示画面の取付金具を外した図２のキャビネットラックの正面図である。
【図６】図３のＡ−Ａ線断面図である。
【図７】図３のＢ部拡大図である。
【図８】図６のＣ部拡大図である。
【図９】本発明の第１実施例を示す大型の情報表示装置の組立体の第１の情報表示画面取付金具の正面図である。
【図１０】図９の右側面図である。
【図１１】図９の上面図でる。
【図１２】本発明の第１実施例を示す大型の情報表示装置の組立体の第２の情報表示画面取付金具の正面図である。
【図１３】本発明の第１実施例を示す大型の情報表示装置の組立体と情報表示画面を外した状態のキャビネットラックを示す図面代用写真である。
【図１４】本発明の第１実施例を示す大型の情報表示装置の組立体の情報表示画面を筐体から開いた状態を示す図面代用写真である。
【図１５】本発明の第２実施例を示す大型の情報表示装置の組立体の正面図である。
【図１６】本発明の第２実施例を示す大型の情報表示装置の組立体の側面図である。
【図１７】本発明の第２実施例を示す大型の情報表示装置の組立体の脚部の平面図である。
【図１８】本発明の第２実施例を示す大型の情報表示装置の組立体の表示画面裏面の取付部の構造図である。
【符号の説明】
【００３０】
１    縦長の筐体
２    旗蝶番取付金具
３    ４組の組立式旗蝶番
４    ボールキャッチ取付金具
５    ボールキャッチ
６    筐体の側板
７    筐体の裏板
７Ａ    菱形の通気穴
８    筐体の天板
９    筐体の底板
１０    キャスター
１１，２７    スタビライザ
１２    フロアレベラ
１３，１３Ａ〜１３Ｄ    情報表示画面取付金具
１４Ａ〜１４Ｄ    支え金具
１５，１５Ａ〜１５Ｄ    情報表示画面
１６，１６Ａ〜１６Ｄ    情報表示画面の取付部材
１７Ａ    開口
１７Ｂ，１７Ｃ    長丸穴
２１Ａ〜２１Ｃ    ３個の情報表示画面
２２Ａ〜２２Ｃ    取付部材
２３    支柱
２４Ａ〜２４Ｃ，２９    取付金具
２５Ａ〜２５Ｃ，３０    Ｕボルト
２６    支持部材
２８    木製のデスク（支持体）
３１    支持金具
３２    アジャスタボルト
３３    抑えナット
【図１】
2009244577.tif 000003
【図２】
2009244577.tif 000004
【図３】
2009244577.tif 000005
【図４】
2009244577.tif 000006
【図５】
2009244577.tif 000007
【図６】
2009244577.tif 000008
【図７】
2009244577.tif 000009
【図８】
2009244577.tif 000010
【図９】
2009244577.tif 000011
【図１０】
2009244577.tif 000012
【図１１】
2009244577.tif 000013
【図１２】
2009244577.tif 000014
【図１５】
2009244577.tif 000015
【図１６】
2009244577.tif 000016
【図１７】
2009244577.tif 000017
【図１８】
2009244577.tif 000018
【図１３】
2009244577.tif 000019
【図１４】
2009244577.tif 000020